(57)【要約】【課題】特に床スラブを構成するデッキプレート等の溶断作業における施工性や安全性を改善すべく、火の粉の捕集容器内に水を入れることができ、火の粉より重い溶断片も安全に捕集し得る強度を備えるとともに、作業部位に合わせて迅速かつ安全に据え付けることができる火の粉受け装置を提供する。【解決手段】火の粉受け装置１は、隅部にアウトリガー３が展開自在に設けられた把手２２付きの台車２と、台車２の天板上に載置される捕集容器４と、捕集容器４を囲む位置に立設された２本以上の伸縮式支柱５と、支柱５の上部に取り付けられて捕集容器４の略直上に支承される捕集フード６と、捕集フード６の底部に連通して垂下し捕集容器４内に下端部を開口させる伸縮式の耐熱風管７とを具備する。【選択図】  図１
0003155049.tif 000002
【実用新案登録請求の範囲】
【請求項１】
隅部にアウトリガーが展開自在に設けられた把手付きの台車と、
前記台車の天板上に載置される捕集容器と、
前記台車の天板上における前記捕集容器を囲む位置に立設された２本以上の伸縮式支柱と、
前記支柱の上部に取り付けられて前記捕集容器の略直上に支承される、上方に開口した捕集フードと、
前記捕集フードの底部に連通して垂下し、前記捕集容器内に下端部を開口させる伸縮式の耐熱風管と、を具備する火の粉受け装置。
【請求項２】
請求項１に記載の火の粉受け装置において、
捕集フードは鋼板によって形成され、角筒状の上半部と、底部に円筒状開口を有する漏斗状の下半部とを具備することを特徴とする火の粉受け装置。
【請求項３】
請求項１又は２に記載の火の粉受け装置において、
捕集フードの内側に金網が装着されたことを特徴とする火の粉受け装置。
【請求項４】
請求項１〜３のいずれか１項に記載の火の粉受け装置において、
耐熱風管は蛇腹状に形成されて、その上端部は捕集フードの底部に設けられた円筒状開口に連結される一方、その下端部は捕集容器に対し非連結状態で捕集容器内に挿入され、該下端部を持ち上げることにより、台車の天板上での捕集容器の置き換えが可能になることを特徴とする火の粉受け装置。
【請求項５】
請求項１〜４のいずれか１項に記載の火の粉受け装置において、
台車の天板上に、捕集容器の載置位置を複数箇所の突起部材によって囲むように構成した容器定置手段が設けられてなることを特徴とする火の粉受け装置。
【考案の詳細な説明】
【技術分野】
【０００１】
本考案は、建築工事現場で溶接作業や溶断作業を行う際に、火の粉が周囲に飛散するのを防ぐための火の粉受け装置に関し、より詳細には、建築構造物の、特に床スラブを構成するデッキプレート、或いはこれに類する金属板材等に、設備配管等のための貫通孔を溶断によって形成する際に、火の粉や溶断片等を安全に捕集し得る火の粉受け装置に関する。
【背景技術】
【０００２】
デッキプレート等の金属板材を用いて床スラブが構成される建築構造物（デッキプレート上にコンクリートが打設されるデッキ合成スラブ、及びデッキプレートをそのまま構造体とするデッキ構造スラブを包含する。）においては、しばしば、該デッキプレートに各種の設備配管や配線を通すための貫通孔が後加工によって形成される。その作業には通常、ガス溶断が用いられるが、その際、金属の溶融屑（スラグ）が多量に発生し、それが高温の火の粉（火花）となって周囲に飛散する。この火の粉が周囲の可燃物に引火したり、作業員にかかって火傷を負わせると大変危険なので、火の粉の飛散を防ぐための養生手段が必要になる。
【０００３】
一般的な溶接・溶断作業に際し、その作業部位を適宜の養生具で包囲することによって火の粉の飛散を防ぐことは周知慣用技術であるが、特に上述のような床スラブへの貫通孔形成作業に利用しうる養生手段としては、例えば耐火シートからなる傘状体を逆さにして作業部位に引っ掛けるようにしたもの（例えば、特許文献１、４）、耐熱性の箱状体を作業部位に通したチェーン等で作業部位の下方に吊り下げるもの（例えば、特許文献２）、耐火シートからなる傘状体を下層階の床に立設した支柱で支持して作業部位の下側に当てがうもの（例えば、特許文献３、４）等が公知である。
【先行技術文献】
【特許文献】
【０００４】
【特許文献１】特開平９−１７０３３４号公報
【特許文献２】実公平６−１８６９６号公報
【特許文献３】特開平１０−１５９３４７号公報
【特許文献４】特開２００８−２２９６８５号公報
【考案の概要】
【考案が解決しようとする課題】
【０００５】
デッキプレートをガス溶断する際に発生する火の粉の量は、形成する貫通孔の大きさに応じて相当な量となる。その火の粉を長時間にわたって大量に捕集する受け具内の温度は、場合によっては摂氏４００度前後にまで達する。そのため、実際の作業現場では、金属製のバケツに水を入れたものを受け具に用いて火の粉を捕集することが多い。それでも、捕集した火の粉の熱によってバケツ内の水が短時間で沸騰してしまうので、溶断作業中に何度もバケツ内の水を交換しているのが実情である。
【０００６】
このような実情に鑑みると、上記従来の養生手段のうち、耐熱シートからなる傘状の受け具を用いるもの（特許文献１、３、４）は、受け具自体の構造が貧弱で、その中に水を入れて利用できる程の強度は備えていないと想定されるので、長時間の溶断作業には不向きである。また、溶断によって鉄片やコンクリート屑など、火の粉より重量が大きいものも落下するが、それらをしっかりと捕集するのも難しそうである。
【０００７】
上記従来の養生手段のうち、箱状の受け具を作業部位の下方に吊り下げるもの（特許文献２）は、その受け具を金属板等で形成することにより、受け具自体には相当の強度を付与することができそうである。しかし、その受け具を作業部位の上方から吊持する構成では、作業部位への設置や移動が非常に面倒であり、一旦、設置してしまうと受け具内の水も容易には交換できない。
【０００８】
下層階の床に支柱を立設して受け具を作業部位の下側に当てがうもの（特許文献３、４）も同様に、一旦、支柱を固定してしまえば、受け具内の水の交換が困難になる。しかも、支柱が１本しかないものでは、受け具の支持状態や強度にも不安がある。
【０００９】
本考案は上述のような事情に鑑み、特に床スラブを構成するデッキプレート等の溶断作業における施工性や安全性を改善すべくなされたものであって、その目的は、火の粉の捕集部分に水を入れて使用することができ、また、火の粉より重い鉄片等もしっかりと捕集することができるような強度と安定性を備えるとともに、作業部位に合わせて迅速かつ安全に据え付けることができ、さらに、水の交換や捕集物の処分も簡単に行うことができる、使い勝手に優れた火の粉受け装置を提案することにある。
【課題を解決するための手段】
【００１０】
上記した目的を達成するため、本考案の火の粉受け装置は、隅部にアウトリガーが展開自在に設けられた把手付きの台車と、前記台車の天板上に載置される捕集容器と、前記台車の天板上における前記捕集容器を囲む位置に立設された２本以上の伸縮式支柱と、前記支柱の上部に取り付けられて前記捕集容器の略直上に支承される、上方に開口した捕集フードと、前記捕集フードの底部に連通して垂下し、前記捕集容器内に下端部を開口させる伸縮式の耐熱風管と、を具備するものとして特徴づけられる。
【００１１】
この火の粉受け装置は、アウトリガーを備えた把手付きの台車上に構成されるので、床スラブを構成するデッキプレート等の溶断作業に際し、その下層階の床上で台車を移動させることにより、簡単かつ正確に作業部位の直下に据え付けることができる。また、作業部位の移動に応じて、台車も簡単に移動させることができる。そして、作業部位の直下で支柱を伸ばせば、捕集フードの上面開口が作業部位の下面に当てがわれる。捕集フードは２本以上の支柱によって支承されるので、強度や安定性にも優れる。
【００１２】
捕集フードによって捕集される火の粉や溶断片は、捕集フードの底部に連結された耐熱風管内を、ほぼ真っ直ぐに落下し、捕集容器内に集められる。この捕集容器は直接、台車上に載置されるから、捕集容器内に予め十分な量の水を入れておくことができる。したがって、集めた火の粉を冷却する効果も高く、また、重い鉄片等が落下しても強度的に問題ない。
【００１３】
この構成における捕集フードは、鋼板によって形成され、角筒状の上半部と、底部に円筒状開口を有する漏斗状の下半部とからなるものとすることができる。これにより、捕集フード自体の強度や耐熱性も十分なものとなる。
【００１４】
さらに、捕集フードの内側に金網を装着することにより、特に大きい溶断片を、この金網で受け止めることが可能になる。
【００１５】
また、耐熱風管を蛇腹状に形成し、その上端部を捕集フードの底部に設けられた円筒状開口部に連結する一方、その下端部は捕集容器に対し非連結状態で捕集容器内に挿入することとすれば、耐熱風管の下端部を持ち上げることにより、捕集フードの支承状態はそのままで、台車の天板上での捕集容器の置き換えが可能になる。したがって、溶断作業中に捕集容器内の水を交換したり、溜まった捕集物を処分したりするのにも好都合である。
【００１６】
さらに、台車の天板上に、捕集容器の載置位置を複数箇所の突起部材によって囲むように構成した容器定置手段を設けることにより、捕集容器の載置状態が一層、安定し、その据え付けも容易になる。
【考案の効果】
【００１７】
上述のように構成される本考案の火の粉受け装置は、台車上に立設した伸縮式支柱によって捕集フードを高所に支承し、該捕集フードによって捕集した火の粉を、耐熱風管を通じて、台車に載置した捕集容器内に真っ直ぐ落下させるように構成されているから、捕集容器には十分、頑丈なものを利用することができ、かつ、その中にはたっぷりの水を入れておくこともできる。したがって、捕集した火の粉によって捕集容器内が高温になるのを防ぎやすく、また、重い溶断片等もしっかりと捕集することができる。捕集容器の保持位置が低いから、捕集容器内の水の交換や捕集物の処分も簡単に行うことができる。
【００１８】
また、この火の粉受け装置は、アウトリガーを備えた把手付きの台車上に構成されるから、作業部位に合わせて移動させたり固定したりするのが簡単である。捕集フードは２本以上の伸縮式支柱によって支承されるから、ぐらつかず安定する。伸縮式支柱を伸ばして捕集フードを作業部位の下側に当てがうことができるので、作業員のための足場も不要になる。溶断作業中は、捕集容器内の水の交換を除けば、作業員が火の粉受け装置の直近に居る必要もないから、安全性にも優れる。
【００１９】
この火の粉受け装置を利用することにより、特に床スラブを構成するデッキプレート等の溶断作業における施工性や安全性が格段に向上ずる。
【図面の簡単な説明】
【００２０】
【図１】本考案の実施形態に係る火の粉受け装置の全体的構成を示す斜視図である。
【図２】前記火の粉受け装置における捕集フードの昇降状態を示す側面図である。
【考案を実施するための形態】
【００２１】
以下、本考案の実施形態について図を参照して説明する。図１〜図２は、本考案の実施形態に係る火の粉受け装置を示す。
【００２２】
この火の粉受け装置１は、底面に複数個のキャスター２１を備えた台車２上に構成される。台車２には、手押し用の把手２２が取り付けられている。また、台車２の隅部４箇所にはアウトリガー３が軸着されて、水平方向に展開し得るように保持されている。
【００２３】
台車２の天板の略中央には、火の粉を集めるための捕集容器４が載置される。例示の捕集容器４は、提手を有する大きめの金属製バケツであって、その中に適量の水を入れた状態で使用される。台車２の天板には、捕集容器４の載置位置を囲むようにして数本の短いガイドピン２３が突設されており、その内側に捕集容器４を載置すると、捕集容器４がずれないように保持される。台車２の天板上に配置されたこれらのガイドピン２３、或いはこれに類する適宜形状の突起部材によって、容器定置手段が構成される。
【００２４】
さらに台車２の天板には、捕集容器４を間に挟んで線対称又は点対称となる位置に、適宜の距離を隔てて複数本（例示形態では２本）の伸縮式支柱５が立設されている。伸縮式支柱５は、大径の筒体内に小径の筒体を挿入して順次、上方に繰り出せるように構成されたものである。各段の筒体は、クランプねじ５１を締め付けることにより任意の繰り出し位置で固定される。伸縮式支柱５を最も短かく収納したときの長さは概ね１．５〜２ｍ、最も伸長させたときの長さは５ｍ前後とするのが実用的である。
【００２５】
伸縮式支柱５の上部には、上方に開口する捕集フード６が取り付けられて、前記捕集容器４の略直上に支承される、捕集フード６は、亜鉛メッキ鋼板等からなり、角筒状の上半部６１と、漏斗状の下半部６２とを具備している。下半部６２は上半部６１の下縁に連続して下向きに縮径し、その底部に円筒状開口６３が形成されている。上半部６１の開口寸法は概ね６０〜８０ｃｍ角、下半部６２の円筒状開口６３の直径は概ね３０〜４０ｃｍとするのが実用的である。例示形態においては、下半部６２の外側２箇所に側面視略三角形状の取付片６４が設けられ、伸縮式支柱５の上端部が適宜の結合手段によって取付片６４に連結されている。
【００２６】
捕集フード６の内側には、金網６５が、ちょうど下半部６２の上部付近に載るようにして装着されている。この金網６５は、網目の大きさが数ｃｍ程度に設定されて、特に大きいコンクリートの破片やデッキプレートの溶断片等を受け止める作用をなす。
【００２７】
下半部６２の円筒状開口６３には、上下両端部が開口した筒状の耐熱風管７が連結される。耐熱風管７は、可撓性を有する耐熱シートを巻き回して形成され、例えばリング状又はスパイラル状の骨ワイヤーに耐熱シートを被着するなどして、蛇腹状に伸縮し得るようになっている。耐熱風管７の上端部は捕集フード６の底部に設けられた円筒状開口６３に被せられて、適宜の金具や締具等により捕集フード６に連結されている。一方、耐熱風管７の下端部は、台車２上に載置された捕集容器４内に挿入されている。ただし、下端部は、捕集容器４に連結されない自由な状態で保持されている。
【００２８】
この火の粉受け装置１を使用する際には、床スラブＳに貫通孔Ｈを形成する作業部位の下層階に火の粉受け装置１を搬入し、該下層階の床Ｆ上で台車２を移動させる。台車２が作業部位の直下に達したら、伸縮式支柱５を内側の筒体から順次繰り出して捕集フード６を持ち上げる。捕集フード６を持ち上げると、それに応じて耐熱風管７も伸長する。台車２の位置を微調整しつつ、捕集フード６の上面開口を作業部位の下側に当てがって、伸縮式支柱５のクランプねじ５１を締結するとともに、アウトリガー３を展開して、台車２がぐらつかないようにジャッキアップする。
【００２９】
台車２の天板上には捕集容器４を載置する。捕集容器４は、予め水を入れた状態で台車２上にセットされていてもよいし、台車２を据え付けた後、耐熱風管７の下端部を少し持ち上げて台車２上にセットされてもよい。
【００３０】
デッキプレートの溶断作業によって発生する火の粉や溶断片は、捕集フード６の底部から耐熱風管７を通じて、ほぼ真っ直ぐに捕集容器４内へと落下し、捕集容器４内の水で冷却される。捕集容器４内の水が高温になって蒸発したり、捕集容器４内に溶融屑や溶断片が溜まったら、耐熱風管７の下端部を持ち上げて捕集容器４を取り出し、捕集物を処分したり、捕集容器４内に水を補充したりする。
【００３１】
デッキプレートの溶断作業が終了したら、捕集容器４を取り出して捕集物を処分し、伸縮式支柱５を収納して捕集フード６を下降させる。このように本考案の火の粉受け装置１によれば、作業員が足場を組んで登る必要もなく、捕集フード６を作業部位の直下に的確に保持することができ、その移動も簡単である。捕集フード６は２本以上の支柱５によって支承されるから、ぐらつかずに安定した状態で保持される。また、台車２上には、十分な量の水を入れた頑丈な捕集容器４をセットできるから、捕集容器４内が火の粉の熱で高温になるのも防ぐことができ、重い溶断片等も安全に捕集することができる。耐熱風管７の下端部を少し持ち上げれば、捕集物の処分や水の補充も簡単に行うことができる。こうして、特にデッキプレート等の溶断作業における施工性や安全性が格段に向上する。
【００３２】
なお、上述した実施形態は一例であって、装置細部の構造や形状、材質等は、本考案の主旨を逸脱しない範囲で適宜、改変可能である。
【符号の説明】
【００３３】
１  火の粉受け装置
２  台車
２２  把手
２３  ガイドピン（突起部材）
３  アウトリガー
４  捕集容器
５  伸縮式支柱
６  捕集フード
６１  上半部
６２  下半部
６３  円筒状開口
６５  金網
７  耐熱風管
【図１】
0003155049.tif 000003
【図２】
0003155049.tif 000004